(57)【要約】【課題】  本発明は波を打つことのない平坦な人工スキー専用のゲレンデを提供することを目的とする。【解決手段】  傾斜面50に所定面積の複数のマット１を連結せしめて敷設することで形成される人工スキー専用のゲレンデであって、裏面に係止突部２を複数形成したマット１と、傾斜面50に縦方向に設けられる縦部材51と、この縦部材51と前記マット１とを連結する連結体52とで構成され、この連結体52は、マット１の係止突部２間に係止配設され、更に、この連結体52には、前記縦部材51が配設される配設部53が設けられ、また、連結体52には、該配設部53に配設された縦部材51の外面を押圧する押圧部54が設けられ、該押圧部54の対向位置にして配設部53の内面には縦部材51の変形を許容する凹部55が設けられているものである。【選択図】        図９
2005076326.tif 000002
【特許請求の範囲】
【請求項１】
傾斜面に所定面積の複数のマットを連結せしめて敷設することで形成される人工スキー専用のゲレンデであって、裏面に係止突部を複数形成したマットと、傾斜面に縦方向に設けられる縦部材と、この縦部材と前記マットとを連結する連結体とで構成され、この連結体は、マットの係止突部間に係止配設され、更に、この連結体には、前記縦部材が配設される配設部が設けられ、また、連結体には、該配設部に配設された縦部材の外面を押圧する押圧部が設けられ、該押圧部の対向位置にして配設部の内面には縦部材の変形を許容する凹部が設けられていることを特徴とする人工スキー専用のゲレンデ。
【請求項２】
請求項１記載の人工スキー専用のゲレンデにおいて、前記押圧部は連結体に貫通し、端部が縦部材の外面を押圧する構成であることを特徴とする人工スキー専用のゲレンデ。
【請求項３】
請求項１記載の人工スキー専用のゲレンデにおいて、前記押圧部は連結体に貫通し、端部が縦部材の外面を押圧するネジ体であることを特徴とする人工スキー専用のゲレンデ。
【請求項４】
請求項１〜３いずれか１項に記載の人工スキー専用のゲレンデにおいて、前記配設部は、連結体の長さ方向に延設される断面視Ｕ字状の構造であることを特徴とする人工スキー専用のゲレンデ。
【請求項５】
請求項１〜４いずれか１項に記載の人工スキー専用のゲレンデにおいて、前記押圧部は縦部材の軸芯位置より配設部の開口部側にズレた位置を押圧するように構成されていることを特徴とする人工スキー専用のゲレンデ。
【請求項６】
請求項４，５いずれか１項に記載の人工スキー専用のゲレンデにおいて、前記配設部の開口部は、連結体の側面に形成されていることを特徴とする人工スキー専用のゲレンデ。
【請求項７】
請求項４〜６いずれか１項に記載の人工スキー専用のゲレンデにおいて、前記配設部の開口部の位置と配設部の最奥部の位置とは、前者が後者より上側の位置にあることを特徴とする人工スキー専用のゲレンデ。
【請求項８】
請求項１〜７いずれか１項に記載の人工スキー専用のゲレンデにおいて、前記連結体は適宜な金属製若しくは合成樹脂製の部材で形成されたものであることを特徴とする人工スキー専用のゲレンデ。
【請求項９】
請求項１〜８いずれか１項に記載の人工スキー専用のゲレンデにおいて、前記連結体は、マットの係止突部の高さとほぼ同一の厚さ若しくはマットの係止突部の高さより薄い厚さに設定されていることを特徴とする人工スキー専用のゲレンデ。
【請求項１０】
請求項１〜９いずれか１項に記載の人工スキー専用のゲレンデにおいて、前記連結体は、マットの係止突部の外面と凹凸嵌合する側面を有するものであることを特徴とする人工スキー専用のゲレンデ。
【請求項１１】
請求項１０記載の人工スキー専用のゲレンデにおいて、前記マットの係止突部は、断面が円形状の係止突部であり、連結体の側面には前記係止突部と凹凸嵌合する１／２円弧凹面が形成されていることを特徴とする人工スキー専用のゲレンデ。
【発明の詳細な説明】
【技術分野】
【０００１】
本発明は、人工スキー専用のゲレンデに関するものである。
【背景技術】
【０００２】
本発明者は、人工スキー専用のゲレンデを形成するために使用する敷設部材（マット１）を特開平７−２２２８４４号（特許文献１参照）として提案している。
【０００３】
このマット１は、図１〜５に図示したように、複数の係止突部２を該係止突部２の高さより肉薄のリブ11で連設し、マット１の各辺に連結部８（雄連結部８ａ，雌連結部８ｂ）を設けた合成樹脂製のものである（サイズは１ｍ×１ｍ)。従って、該マット１を雄連結部８ａ，雌連結部８ｂにより縦横に複数連結して所定の傾斜面に敷設して使用する。
【０００４】
本発明者は、このマット１を種々試してみたところ、次の問題点があることを確認した。
【０００５】
（１）  ローラースキー，キャタピラースキーなどで滑走中にエッジングすると、このエッジングによりフォールライン方向（縦方向）に力が作用し、マット１が下方（縦方向）にずり落ちてしまうという欠点を確認した。これは、マット１は接地面に対し係止突部２が突き刺さるということによる係止作用のみで敷設されていることによる。
【０００６】
マット１がフォールライン方向にずり落ちると下方に敷設されるマット１の下縁が傾斜面の終端に当接してしわが発生し、更に、フォールライン方向に力が作用すると今後はマット１が傾斜面の終端からの反力により上方に押圧され、マット１の持ち上がり現象が生じ、この持ち上がり現象は上方のマット１に波及し、よって、ゲレンデが波を打ってしまい、良好な滑走が不能となる。
【０００７】
（２）  マット１は合成樹脂製で形成されている為、気温の変化による伸縮が大きく、低温時にはマット１が収縮する為各マット１の雄連結部８ａ，雌連結部８ｂに張力が働く状態となる。従って、例えば縦横に敷設されている任意のマット１を１個交換の為、取り外し、新品のマット１を上下左右のマット１と連結しようとすると、マット１が収縮している為非常に厄介となる（繰り返し試してみたところ、縦方向での雄連結部８ａ，雌連結部８ｂの連結が厄介であり、横方向での雄連結部８ａ，雌連結部８ｂの連結はそれほど厄介ではないことが確認されている。）。このことは、保守性において致命的となる。結局、１個のマット１の交換の為に全てのマット１の敷設を再度行わなければならない。
【０００８】
また、高温時にはマット１が伸び、交換の為の新品のマット１が所定の位置に配設しづらかったり、また、互いにマット１が押し合い、前記（１）のエッジング時のフォールライン方向の力と相まってゲレンデ全体が波を打ったようになってしまうという欠点も存する。
【０００９】
そこで、本発明者は人工スキー専用のゲレンデ及びその形成方法として、特開平９−２６８５１５号（特許文献２参照）を提案しており（以下、従来例という。）、マット１と硬質の縦部材31を連結する為のものとして連結体32を提案している。
【００１０】
この連結体32は、図６，７，８に図示したようにマット１の裏面に形成される係止突部２の外面と凹凸嵌合する側面を有し、傾斜面30に配設される縦部材31を貫通し得る貫通孔33を設けた構成であり、具体的には、二つの半体32ａ，32ｂを重合して形成される構造とし、各半体32ａ，32ｂの重合面に縦部材31が嵌入される凹溝33ａを設け、この凹溝33ａに縦部材31が配されるようにした構成である。
【００１１】
この凹溝33ａは直線ではなく少なくとも一つの屈曲部を有する凹溝33ａに形成されており、これはマット１にかかる荷重が連結体32にかかった際、連結体32が縦部材31に対してズリ落ちないようにする為の構成であり、これに応じて縦部材31も屈曲されている。また、この縦部材31は、連結体32の貫通孔33に配設される屈曲部31ａの上方部位31'の軸芯ｒと下方部位31”の軸芯ｒ'とが合致するように、該屈曲部31ａの上下近傍位置にも上方屈曲部31ｂ及び下方屈曲部31ｃが屈曲形成されている。
【００１２】
符号34は断面が円形状の係止突部２と凹凸嵌合する１／４円弧凹面、35は１／２円弧凹面、36は組み付けボルトである。
【００１３】
実際にこの連結体32を使用してマット１を傾斜面30に敷設する際には、縦方向に５枚のマット１同志を連結して成るマット群37を連結体32を介して縦部材31に連結しており、このマット群37同志に所定の間隙Ｓ（縦方向）を設けることでゲレンデの波打ち現象等の前述した問題点を解消している（雄連結部８ａ，雌連結部８ｂによりマット群37同志は横方向に連結されている。）。
【００１４】
【特許文献１】特開平７−２２２８４４号
【特許文献２】特開平９−２６８５１５号
【発明の開示】
【発明が解決しようとする課題】
【００１５】
ところが、この従来例に係る連結体32を採用した場合、マット１上を滑走することによる荷重やマット１自体の荷重、気温の高い時期に縦部材31に付与される熱などによって、この縦部材31の屈曲部31ａの上下近傍位置に形成された上方屈曲部31ｂ及び下方屈曲部31ｃが真っ直ぐに伸びてしまい、よって、縦部材31の全長が伸びた状態となりマット群37同志の間に必要以上の隙間が生じてしまう。
【００１６】
また、従来例は、縦部材31を前述のとおり屈曲して屈曲部31ａ，上方屈曲部31ｂ及び下方屈曲部31ｃを形成する作業が必須であるから、作業性が悪く且つ連結体32を連結する位置が決められてしまう為に非常に不便である。
【００１７】
更に、一本の縦部材31に形成される屈曲部31ａ，上方屈曲部31ｂ及び下方屈曲部31ｃが支えられる荷重には限界があり、例えば全長６００ｍのコースを作る場合、１５０ｍ毎に別の縦部材31を設置しなければならず、その為、この各縦部材31を固定する為のコンクリート構造物38を１５０ｍ毎に形成しなければならないなど、施工にかかる工期の遅延及びコスト高の問題がある。
【００１８】
本発明は、特開平９−２６８５１５号の改良に係るもので、施工作業性が格段に向上しコスト面にも秀れるなど画期的な人工スキー専用のゲレンデを提供するものである。
【課題を解決するための手段】
【００１９】
添付図面を参照して本発明の要旨を説明する。
【００２０】
傾斜面50に所定面積の複数のマット１を連結せしめて敷設することで形成される人工スキー専用のゲレンデであって、裏面に係止突部２を複数形成したマット１と、傾斜面50に縦方向に設けられる縦部材51と、この縦部材51と前記マット１とを連結する連結体52とで構成され、この連結体52は、マット１の係止突部２間に係止配設され、更に、この連結体52には、前記縦部材51が配設される配設部53が設けられ、また、連結体52には、該配設部53に配設された縦部材51の外面を押圧する押圧部54が設けられ、該押圧部54の対向位置にして配設部53の内面には縦部材51の変形を許容する凹部55が設けられていることを特徴とする人工スキー専用のゲレンデに係るものである。
【００２１】
また、請求項１記載の人工スキー専用のゲレンデにおいて、前記押圧部54は連結体52に貫通し、端部が縦部材51の外面を押圧する構成であることを特徴とする人工スキー専用のゲレンデに係るものである。
【００２２】
また、請求項１記載の人工スキー専用のゲレンデにおいて、前記押圧部54は連結体52に貫通し、端部が縦部材51の外面を押圧するネジ体であることを特徴とする人工スキー専用のゲレンデに係るものである。
【００２３】
また、請求項１〜３いずれか１項に記載の人工スキー専用のゲレンデにおいて、前記配設部53は、連結体52の長さ方向に延設される断面視Ｕ字状の構造であることを特徴とする人工スキー専用のゲレンデに係るものである。
【００２４】
また、請求項１〜４いずれか１項に記載の人工スキー専用のゲレンデにおいて、前記押圧部54は縦部材51の軸芯位置より配設部53の開口部53ａ側にズレた位置を押圧するように構成されていることを特徴とする人工スキー専用のゲレンデに係るものである。
【００２５】
また、請求項４，５いずれか１項に記載の人工スキー専用のゲレンデにおいて、前記配設部53の開口部53ａは、連結体52の側面に形成されていることを特徴とする人工スキー専用のゲレンデに係るものである。
【００２６】
また、請求項４〜６いずれか１項に記載の人工スキー専用のゲレンデにおいて、前記配設部53の開口部53ａの位置と配設部53の最奥部53ｃの位置とは、前者が後者より上側の位置にあることを特徴とする人工スキー専用のゲレンデに係るものである。
【００２７】
また、請求項１〜７いずれか１項に記載の人工スキー専用のゲレンデにおいて、前記連結体52は適宜な金属製若しくは合成樹脂製の部材で形成されたものであることを特徴とする人工スキー専用のゲレンデに係るものである。
【００２８】
また、請求項１〜８いずれか１項に記載の人工スキー専用のゲレンデにおいて、前記連結体52は、マット１の係止突部２の高さとほぼ同一の厚さ若しくはマット１の係止突部２の高さより薄い厚さに設定されていることを特徴とする人工スキー専用のゲレンデに係るものである。
【００２９】
また、請求項１〜９いずれか１項に記載の人工スキー専用のゲレンデにおいて、前記連結体52は、マット１の係止突部２の外面と凹凸嵌合する側面を有するものであることを特徴とする人工スキー専用のゲレンデに係るものである。
【００３０】
また、請求項１０記載の人工スキー専用のゲレンデにおいて、前記マット１の係止突部２は、断面が円形状の係止突部２であり、連結体52の側面には前記係止突部２と凹凸嵌合する１／２円弧凹面56が形成されていることを特徴とする人工スキー専用のゲレンデに係るものである。
【発明の効果】
【００３１】
本発明は上述のように構成したから、縦部材に対する連結体の堅固な連結が得られ、しかも、マット群同志の隙間が必要以上に広がるなどの問題が確実に解消されることになり、また、コンクリート構造物を数多く設けることなく長いゲレンデを形成することができることになる。
【００３２】
また、本発明は、縦部材を折り曲げ形成する必要が無く、施工作業性が良好であり、しかも、連結体を縦部材の所望の位置に連結することが出来ることになるから、より一層施工作業性が飛躍的に向上し、コスト安にもなる。
【発明を実施するための最良の形態】
【００３３】
好適と考える本発明の最良の形態（発明をどのように実施するのが最良か）を、図面に基づいて本発明の作用効果を示して簡単に説明する。
【００３４】
傾斜面50に設けられた縦部材51と連結体52とは連結され、この連結体52はマット１の係止突部２間に係止配設され、よって、マット１は傾斜面50上に固定敷設される。
【００３５】
ところで、本発明に係る連結体52は、前記縦部材51が配設される配設部53が設けられ、この配設部53には、該配設部53に配設された縦部材51の外面を押圧する押圧部54が設けられ、該押圧部54の対向位置にして配設部53の内面には縦部材51の変形を許容する凹部55が設けられている。
【００３６】
この構成から、縦部材51に対する極めて堅固な連結が達成される。
【００３７】
具体的には、前述したように縦部材51に連結体52を連結するに際して、押圧部54により縦部材51の外面を押圧すると、この押圧部54の対向位置にして配設部53の内面には凹部55がある為、該縦部材51は凹部55の分だけ変形するから、配設部53内で従来例の屈曲部が形成されたような状態となる。
【００３８】
この状態で、マット１上を滑走することによる荷重やマット１自体の荷重により縦部材51に引っ張り力がかかると、その反力で押圧部54を押圧し、よって、縦部材51に引っ張り力が加われば加わるほど押圧部54との押圧接触が強くなり、縦部材51に対する連結体52の連結がより一層強固になってズリ落ちが防止される。
【００３９】
従って、本発明は、縦部材51に対する連結体52の堅固な連結が得られ、しかも、前述した従来例と異なり、縦部材51の連結体52が連結される近傍位置に屈曲部を設ける必要がない為、縦部材51の全長が伸びてマット群同志の隙間が必要以上に広がるなどの問題が確実に解消されることになるから、滑走に支障を来たすことなく、また、コンクリート構造物を数多く設けることなく長いゲレンデを形成することができることになる。
【００４０】
また、縦部材51を折り曲げ形成する必要が無く、施工作業性が良好であり、しかも、連結体52を縦部材51の所望の位置に連結することが出来ることになるから、より一層施工作業性が飛躍的に向上し、コスト安にもなる。
【実施例】
【００４１】
本発明の具体的な実施例について図面に基づいて説明する。
【００４２】
本実施例に係るマット１は合成樹脂による一体成型により形成する。合成樹脂製にするのは、製造効率の点，軽量化の点及び滑走者が転倒し、当接した際の安全性を考慮したことによる。更に、合成樹脂にすることでローラースキー等の滑走部（例えばタイヤ）の摩耗が可及的に防止される。
【００４３】
また、本実施例は、本願出願人が既に出願している特開平５−３２９２４０号，特開平５−３２９２４１号，特開平５−３２９２４２号，特開平５−３２９２４３号等のスキー板の下面に車輪を設けた車輪付スキー専用のゲレンデを形成する為のものである。
【００４４】
１ｍ×１ｍのマット１を成形する。このマット１は複数の円筒状の係止突部２を該係止突部２の高さより肉薄のリブ11で連設した構造で、該マット１の裏面には該係止突部２が突設された状態となる。この係止突部２の内孔２ａがマット１に通水性を付与せしめる孔となる。尚、該孔によりマット１はそれだけ軽量となり、また、樹脂が節約されることになる。
【００４５】
この係止突部２によりマット１の裏面は凹凸状となり、この係止突部２間に連結体52が配設されることになる。
【００４６】
マット１の表面には凸半円球状のＲが１．０〜１．３（ｍｍ）の小突起12が突設されている。この小突起12により、滑走時、特に降雨時における滑走時に、滑走者のスリップが防止される。滑走時におけるグリップ力をどの方向からも等しくする為、該小突起12は凸半円球状に設定している。
【００４７】
マット１の隣接２辺には夫々連結部８として３箇所雄連結部８ａが突設され、他の２辺には雌連結部８ｂが突設されている。
【００４８】
マット１同志を連結する場合には、一のマット１の雄連結部８аを隣接する他のマット１の雌連結部８ｂに嵌合することで行う(図４，５参照)。
【００４９】
図１７，１８は後述するマット群57の最下部のマット１であり、他の部分のマット１は図１〜５に図示したマット１が採用され、最下部のマット１は図１７，１８のマット１が採用される。
【００５０】
この図１７，１８のマット１は、図１〜５のマット１と異なり（図４，５参照）、雄連結部８ａに雌連結部８ｂと係止連結させる係止部（図４に♯で図示）が存しない為、マット１が伸縮することによるマット群57同志の上下方向へのズレ動に良好に対応することができる。即ち、マット群57同志は重なった状態で連設されてはいるが、上側のマット群57の最下部のマット１と、下側のマット群57の最上部のマット１とは矢印Ｘ（図１８参照）の方向へ移動できる為、ゲレンデの波打ち現象等の前述した問題点を解消している。
【００５１】
マット１の中央にはポール，旗門，マーカー等を嵌合立設する環状の凹溝13が形成されている。この凹溝13は、競技中に滑走者が旗門に衝突しても転倒することがないよう簡単に外れる深さに設定されている。
【００５２】
以上の構造のマット１は、各辺を固定した場合において、±２５℃の変化に対して物理的に内部応力が発生しないように設計されている。
【００５３】
具体的には、上記構造のマット１はポリプロピレン樹脂で形成し、該マット１の線膨張係数を適宜設定し、各マット群57同志の縦方向における間隙Ｓは約２ｃｍとなるようにして各マット群57を敷設する（図１４，１５参照)。
【００５４】
連結体52は、適宜な金属製の部材（アルミ部材）を一体成形したものである。
【００５５】
尚、制作の容易性及び縦部材51との連結の容易性を考慮して合成樹脂製としても良い。
【００５６】
また、この連結体52は、その厚さが係止突部２の高さと略同一に形成され、また、この連結体52の左右の側面には上側から所定の間隔を置いて２つの１／２円弧凹面56が形成されており、この連結体52を６本の係止突部２間に嵌入すると、１／２円弧凹面56が夫々係止突部２の外面と凹凸嵌合する（図１２参照)。尚、連結体52の厚さが係止突部２の高さより厚いと、該連結体52を係止突部２間に嵌入した際、係止突部２の端面から該連結体52が突出してしまい、傾斜面50と当接する部分が係止突部２の端面ではなく連結体52の頂面となってしまい、係止突部２の傾斜面50への係止作用が阻害されてしまう。この点を考慮して連結体52の厚さは係止突部２の高さと略同一（若しくは係止突部２の高さ以下）に設定される。
【００５７】
また、連結体52には、硬質（金属製）の縦部材51が嵌入される直線状の配設部53が設けられている。
【００５８】
具体的には、連結体52の左右いずれか一方の側面部に開口する断面視Ｕ字状の配設部53（凹所）を切欠状態に設け、この配設部53に嵌入配設させた縦部材51が該連結体52の前面部及び後面部夫々から突出状態となるように構成されている。
【００５９】
また、この配設部53の開口部53ａの位置と配設部53の最奥部53ｃの位置とは、前者が後者より上側の位置にあるように設けられており、即ち、配設部53の底面にして配設部53の開口部53ａと配設部53の最奥部53ｃとの間の導入部53ｂは下り傾斜状となるように設けられている。
【００６０】
これは、配設部53から縦部材51が抜けにくくするための構成である。尚、配設部53は本実施例で採用した断面視Ｕ字状タイプに限らず、連結体52を貫通する断面視円形状の孔を設けて構成するなど、適宜設計し得るものである。
【００６１】
また、連結体52は、この配設部53に配設された縦部材51の外面を押圧する押圧部54が設けられている。
【００６２】
この押圧部54は、図９，１０に図示したように連結体52の上面部に配設部53まで貫通するネジ孔52ａを設け、このネジ孔52ａに押圧体としてのネジ体58を螺着して構成されており、ネジ体58は螺動により配設部53内への突出量が可変し得るように構成されている。
【００６３】
また、ネジ孔52ａは、配設部53の長さ方向と直交する方向に形成され、その軸芯位置Ｐ２を縦部材51の軸芯位置Ｐ１より配設部53の開口部53ａ側にズレた位置とすることで、ネジ体54は縦部材51の軸芯位置より配設部53の開口部53ａ側にズレ位置を押圧するように構成されている（図１０参照）。
【００６４】
従って、配設部53の開口部53ａ方向へ抜けようとする縦部材51を押さえることになり、前述した導入部53ｂを下り傾斜状とした構成に加えてより一層縦部材51の抜け止め効果が発揮される。
【００６５】
また、連結体52は、この押圧部54の対向位置にして配設部53の内面には縦部材51の変形を許容する凹部55が設けられている。
【００６６】
この凹部55は、配設部53の長さ方向に約１ｍｍの深さで設けられており、押圧部54で縦部材51を押圧した際、縦部材51は若干撓み変形することになる（図１１参照）。この押圧部54の押圧による縦部材51の変形は、従来例のような変形部を形成した状態となり縦部材51に対する連結体52の堅固な連結を達成する。但し、本実施例は、押圧部54がある為、従来例ほど大きく変形させなくても十分な連結強度が得られる構造である。
【００６７】
次に、このマット１の敷設方法について説明する。
【００６８】
まず、基礎にはマット１の沈下防止（採石層の形成），不陸出しの安定化処理（凹凸除去）を施し、適正な傾斜面50を形成する。
【００６９】
続いて、この傾斜面50に５０〜６０ｃｍの間隔をおいて２本で一組の縦部材51を複数組傾斜面50のフォールライン方向（縦方向）に配設する（尚、２本のワイヤの間に更に複数本縦部材51を追加配設しても良い。）。この夫々の２本の縦部材51の上端は傾斜面50の上方においてターンバックル59を介して傾斜面50に設けたコンクリート構造物60に固定された固定体61に連結されている。このターンバックル59により縦部材51の傾斜面50に対する位置を適宜調整し得ることになる。尚、縦部材51の配設方法としては、コンクリート構造物60に対して縦部材51を直接連結する方法でも良く、具体的には、図１６に図示したようにコンクリート構造物60にＵ字アンカー62を付設し、このＵ字アンカー62に縦部材51を折り返し状に巻回し、この縦部材51の折り返し部をワイヤークリップ63によって止着することで、コンクリート構造物60に対して縦部材51を直接連結しても良い。
【００７０】
続いて、この縦部材51の所定位置に連結体52を連結する。予め連結体52を連結した縦部材51を上記のようにして配設しても良い。
【００７１】
続いて、連結体52が係止突部２間に位置するようにしてマット１を縦部材51上に配設し、係止突部２の外面と連結体52の１／２円弧凹面56とを凹凸嵌合させる。
【００７２】
続いて、この敷設されたマット１に４枚のマット１を連結部８を利用して縦方向に連結し、全体で５枚のマット群57を傾斜面50に敷設する。
【００７３】
この作業はその他の横方向に並設される各２本一組の縦部材51に対しても同様に行い、この作業により敷設された５枚一組のマット群57同志を連結部８により横方向に連結する。
【００７４】
この複数のマット群57の下側に同様に５枚で一組のマット群57を敷設する。この下側のマット群57と既設の上側のマット群57とは連結しない。即ち、前述したように上側のマット群57の最下部のマット１の雄連結部８ａには図１７，１８に図示したように爪なし雄を設けておき、雌連結部８ｂの上面をスライド移動し得るように構成されている。
【００７５】
以上、本実施例に係るマット１は、所定のマット１の係止突部２と縦部材51に固定された連結体52とが係止されている為プレーヤーの滑走時におけるエッジングによりフォールライン方向に力が作用してもずり落ちたりせず、よって、ゲレンデの下方のマット１にしわは発生せず、よって、マット１の持ち上がり現象は生ぜず、ゲレンデが波を打つことを防止できる。
【００７６】
また、縦方向における全てのマット１が連結されておらず、所定枚数（この場合５枚）ごとに分断され且つ所定の間隙Ｓが形成されている為、温度変化によりマット１が膨張しても、マット１の持ち上がり現象は生ぜず、よって、ゲレンデが波打つことは生じない。そして、任意のマット１の交換も良好に行えることになる。
【００７７】
また、本実施例は、縦部材51に対する連結体52の堅固な連結が得られ、しかも、前述した従来例と異なり、縦部材51の連結体52が連結される近傍位置に屈曲部を設ける必要がない為、縦部材51の全長が伸びてマット群同志の隙間が必要以上に広がるなどの問題が確実に解消されることになるから、滑走に支障を来たすことなく、また、コンクリート構造物を数多く設けることなく長いゲレンデを形成することができることになる。
【００７８】
また、本実施例は、縦部材51を折り曲げ形成する必要が無く、施工作業性が良好であり、しかも、連結体52を縦部材51の所望の位置に連結することが出来ることになるから、より一層施工作業性が飛躍的に向上し、コスト安にもなる。
【００７９】
また、本実施例は、縦部材51に角度のきつい大きな屈曲部を形成する必要がないから、それだけ縦部材51の全長が短くて済むことになり、この点においても施工作業性が向上し、コスト安にもなる。
【００８０】
また、本実施例は、前述した従来から提案される連結体32が、縦部材31の屈曲部が伸びることによるマット１から係脱してしまう心配を確実に解消することができる。
【００８１】
具体的には、前述もしたように従来から提案される連結体32は、屈曲部31ａ，上方屈曲部31ｂ及び下方屈曲部31ｃが形成されているが、引っ張られた際、軸芯がずれた位置（屈曲部31ａの上方部位31'と下方部位31”）が互いに合致する方向へ移動しようとすることで連結体32がねじれるようにして起き上がってしまい、よって、マット１から連結体32が係脱してしまう場合があるが、この点、本実施例は、このような屈曲部31ａ，上方屈曲部31ｂ及び下方屈曲部31ｃは形成されないから前述したような問題が生じることは一切ない。
【００８２】
尚、本発明は、本実施例に限られるものではなく、各構成要件の具体的構成は適宜設計し得るものである。
【図面の簡単な説明】
【００８３】
【図１】マットの一部の平面図である。
【図２】マット同志の連結前の一部の拡大平面図である。
【図３】マット同志の連結後の一部の拡大平面図である。
【図４】マットの一部の断面図である。
【図５】マットの一部の断面図である。
【図６】従来から提案される連結体32の分解斜視図である。
【図７】従来から提案される連結体32と縦部材31との連結状態を示す説明断面図である。
【図８】従来から提案される連結体32を使用した人工スキー専用ゲレンデの設置状態説明図である。
【図９】本実施例に係る連結体52の斜視図である。
【図１０】本実施例に係る連結体52の説明断面図である。
【図１１】本実施例に係る連結体52と縦部材51との連結状態を示す説明断面図である。
【図１２】本実施例に係る連結体52とマット１との連結状態を示す説明図である。
【図１３】本実施例の概要説明図である。
【図１４】本実施例の概要説明図である。
【図１５】本実施例に係る連結体52を使用した人工スキー専用ゲレンデの設置状態説明図である。
【図１６】別実施例の概要説明図である。
【図１７】マットの一部の断面図である。
【図１８】マットの一部の断面図である。
【符号の説明】
【００８４】
１  マット
２  係止突部
50  傾斜面
51  縦部材
52  連結体
53  配設部
53ａ  開口部
53ｃ  最奥部
54  押圧部
55  凹部
56  １／２円弧凹面
57  マット群
【図１】
2005076326.tif 000003
【図２】
2005076326.tif 000004
【図３】
2005076326.tif 000005
【図４】
2005076326.tif 000006
【図５】
2005076326.tif 000007
【図６】
2005076326.tif 000008
【図７】
2005076326.tif 000009
【図８】
2005076326.tif 000010
【図９】
2005076326.tif 000011
【図１０】
2005076326.tif 000012
【図１１】
2005076326.tif 000013
【図１２】
2005076326.tif 000014
【図１３】
2005076326.tif 000015
【図１４】
2005076326.tif 000016
【図１５】
2005076326.tif 000017
【図１６】
2005076326.tif 000018
【図１７】
2005076326.tif 000019
【図１８】
2005076326.tif 000020